(57)【要約】【課題】空気調和機において、荷電部のばらつきや環境の変化を問わず、集塵効率が安定した空気調和機を提供することを目的としている。【解決手段】機器内に、粉塵に帯電させる荷電部１と、帯電した粉塵を集塵する集塵部２と、粉塵を荷電部１から集塵部２へ送る送風手段と、荷電部に流れる電流を検知する電流検知手段５を備え、電流検知手段５で検知した電流値に上限値と下限値を設け、上限値および下限値から逸脱しないよう荷電部１にかかる電圧を調節するようにしたものであり、電流値と電圧値の変動を極力少なくして、集塵効率を安定させるという空気調和機７を得られる。【選択図】図１
2007225246.tif 000002
【特許請求の範囲】
【請求項１】
機器内に、粉塵に帯電させる荷電部と、前記帯電した粉塵を集塵する集塵部と、前記粉塵を荷電部から集塵部へ送る送風手段と、前記荷電部に流れる電流を検知する電流検知手段を備え、前記電流検知手段で検知した電流値に上限値と下限値を設け、前記上限値および前記下限値から逸脱しないように、前記荷電部にかかる電圧を調節することを特徴とする空気調和機。
【請求項２】
送風手段の風量によって、荷電部に流れる電流値を変動させるようにすることを特徴とした、請求項１記載の空気調和機。
【請求項３】
機器内に湿度を検知する湿度検知手段を備え、湿度によって荷電部に流れる電流値を変動させるようにすることを特徴とした、請求項１記載の空気調和機。
【請求項４】
電流検知手段で検知した電流値に設けた上限値と下限値を、ユーザーが自由に設定できることを特徴とした、請求項１記載の空気調和機。
【請求項５】
荷電部にかかる電圧値を検知する電圧検知手段と、ユーザーに注意喚起を行う注意手段を備え、前記荷電部にかかる電圧値が基準値以下となると、前記注意手段でユーザーに注意喚起を行うことを特徴とした、請求項１記載の空気調和機。
【請求項６】
荷電部にかかる電圧値が基準値以下となると、前記荷電部に流れる電流値を下げることを特徴とした、請求項５記載の空気調和機。
【請求項７】
荷電部にかかる電圧値が基準値以下となると、前記荷電部にかかる電圧を止めることを特徴とした、請求項５記載の空気調和機。
【請求項８】
荷電部にかかる電圧値から前記荷電部の状態を判断する制御手段を備え、前記制御手段で判断した前記荷電部の状態を注意手段でユーザーに伝達することを特徴とした、請求項５記載の空気調和機。
【請求項９】
荷電部にかかる電圧値、または前記荷電部に流れる電流値の変動が起こると、電流値の変動の有無を、注意手段でユーザーに伝達することを特徴とした、請求項５記載の空気調和機。
【請求項１０】
電流検知手段によって、上限値よりも充分大きな電流を検出したときに、過電流検知を行うことを特徴とした、請求項１記載の空気調和機。
【請求項１１】
電流検知手段によって、上限値よりも充分大きな電流を複数回検出したときに、過電流検知を行うことを特徴とした、請求項１０記載の空気調和機。
【請求項１２】
電圧検知手段によって、荷電部にかかる電圧値の大きな変動を検出したときに、過電流検知を行うことを特徴とした、請求項１記載の空気調和機。
【請求項１３】
電圧検知手段によって、荷電部にかかる電圧値の大きな変動を複数回検出したときに、過電流検知を行うことを特徴とした、請求項１２記載の空気調和機。
【請求項１４】
電圧検知手段で検知した電圧値を記憶する記憶手段を備え、出荷時に前記電圧値を前記記憶手段で記憶し、前記電圧値から特定以上の差が検知されたときに、注意手段でユーザーに伝達することを特徴とした、請求項１記載の空気調和機。
【発明の詳細な説明】
【技術分野】
【０００１】
本発明は電気集塵機能搭載の空気調和機に関する。
【背景技術】
【０００２】
従来この種の電気集塵機搭載の空気調和機は、荷電部に流れる電流値を基準値になるように電流値を一定な値に制御する手段が知られている（例えば特許文献１参照）。
【０００３】
以下、その電気集塵機能搭載の空気調和機について、図８を参照しながら説明する。
【０００４】
機器内に、粉塵粒子を帯電させる荷電部１０１と、荷電部１０１より後流側に位置して、帯電された粉塵粒子を捕集する集塵部１０２と、荷電部１０１の電流値を検出する検出手段１０３と、この検出手段１０３で検出された電流値を基準値と比較する比較手段１０４と、検出手段１０３で検出された電流値を基準値からずれた場合に荷電部の電流値が基準値と一致するように印加電圧を調整する電圧制御部１０５を設けて構成する。
【０００５】
上記構成によれば、荷電部１０１に流れる電流値を比較手段１０４で基準値と比較し、基準値からずれた場合は電圧制御部１０５で印加電圧を調整し、電流を基準値合わせるように制御して集塵効率を一定に保つものである。
【特許文献１】特開平０６−１４３９９８号公報
【発明の開示】
【発明が解決しようとする課題】
【０００６】
このような従来の電気集塵機能搭載の空気調和機は、荷電部にかかる電圧値が数十ボルトの電圧の変動で、荷電部流れる電流値が数マイクロアンペア変動してしまい、かつ、荷電部にかかる電圧値は数キロボルトのレベルで非常に高電圧であり、数ボルトレベルの電圧値の微調整が困難であるため、荷電部に流れる電流値を一定にする制御が難しいため、電流値と電圧値の変動が大きくなってしまい、逆に安定した集塵効率が得られないという課題があった。
【０００７】
また、荷電部に流れる電流値が常に一定であるとき、送風手段の風量によって集塵効率が変動してしまうという課題があった。
【０００８】
また、荷電部に流れる電流値が常に一定であるとき、湿度によって集塵効率が変動してしまうという課題があった。
【０００９】
また、荷電部に流れる電流値が常に一定であるとき、ユーザーが騒音、消費電力が気になるときや、外部の粉塵の量が多いときなど、集塵効率を変動したい時にできないという課題があった。
【００１０】
また、荷電部に粉塵が付着した状態で電気集塵を継続すると、火花放電が発生し、放電箇所が局所的に加熱するという課題があった。
【００１１】
また、電気集塵を継続的に使用している環境下で、荷電部にどの程度粉塵が付着しているのか、機器の外部からわかりにくいという課題があった。
【００１２】
また、電気集塵を継続的に使用している環境下で、電気集塵が充分に機能しているのかユーザーにわかりにくいという課題があった。
【００１３】
また、ユーザーが荷電部の洗浄を行わず、荷電部に火花放電が起きる状態で使い続ける可能性があるという課題があった。
【００１４】
また、発熱に至らないレベルの火花放電が一回発生するたびに注意喚起をすると、注意喚起が多発してしまうという課題があった。
【００１５】
また、荷電部の形状などのばらつきによって出荷時の荷電部にかかる電圧値が高い場合、荷電部の電圧値が基準値以下とならない場合でも、粉塵が多く蓄積されてしまったまま使用してしまうという課題があった。
【００１６】
本発明は、上記従来の課題を解決するものであり、安定した集塵効率が得られ、また、集塵効率が送風手段の風量や湿度に依存せず、また、ユーザーによって集塵効率が変更でき、また、荷電部への粉塵の付着した状態になると、荷電部の洗浄時期をユーザーに知らせる機能を搭載し、また、荷電部にどの程度粉塵が付着しているかがわかりやすく、また、電気集塵が機能していることがわかりやすく、また、火花放電の発生時の保護機能を搭載し、また、放電箇所の発熱に至らない火花放電では運転を継続し、また、出荷時のばらつきに依存せず粉塵の蓄積量で注意喚起を行うことができる電気集塵機能搭載の空気調和機を提供することを目的としている。
【課題を解決するための手段】
【００１７】
本発明の電気集塵機能搭載の空気調和機は上記目的を達成するために、機器内に、粉塵に帯電させる荷電部と、帯電した粉塵を集塵する集塵部と、粉塵を荷電部から集塵部へ送る送風手段と、荷電部に流れる電流を検知する電流検知手段を備え、電流検知手段で検知した電流値に上限値と下限値を設け、上限値および下限値から逸脱しないように、荷電部にかかる電圧を調節するようにしたものである。
【００１８】
この手段により、電流値と電圧値の変動を極力少なくできる電気集塵機能搭載の空気調和機が得られる。
【００１９】
また、他の手段は、送風手段の風量によって、荷電部に流れる電流値を変動させるようにしたものである。
【００２０】
この手段により、荷電部を流れる空気の風量が多くなると、荷電部に流す電流値を上げ、荷電部を流れる空気の風量が少なくなると、荷電部に流す電流値を下げることができる電気集塵機能搭載の空気調和機が得られる。
【００２１】
また、他の手段は、機器内に湿度を検知する湿度検知手段を備え、荷電部周辺の湿度によって荷電部に流れる電流値を変動させるようにしたものである。
【００２２】
この手段により、荷電部周辺の湿度が高くなると、荷電部に流す電流値を上げ、荷電部周辺の湿度が低くなると、荷電部に流す電流値を下げることができる電気集塵機能搭載の空気調和機が得られる。
【００２３】
また、他の手段は、電流検知手段で検知した電流値に設けた上限値と下限値を、ユーザーが自由に設定できるようにしたものである。
【００２４】
この手段により、ユーザーの意思で集塵効率を自由に変更できる電気集塵機能搭載の空気調和機が得られる。
【００２５】
また、他の手段は、荷電部にかかる電圧値を検知する電圧検知手段と、ユーザーに注意喚起を行う注意手段を備え、荷電部にかかる電圧値が基準値以下となると、注意手段でユーザーに注意喚起をするようにしたものである。
【００２６】
この手段により、荷電部に粉塵が蓄積したときに、ユーザーに注意喚起を行うことができる電気集塵機能搭載の空気調和機が得られる。
【００２７】
また、他の手段は、荷電部にかかる電圧値が基準値以下となると、荷電部に流れる電流値を下げることができるようにしたものである。
【００２８】
この手段により、荷電部に粉塵が蓄積したときに、荷電部にかかる電力を抑えることができる電気集塵機能搭載の空気調和機が得られる。
【００２９】
また、他の手段は、荷電部にかかる電圧値が基準値以下となると、荷電部にかかる電圧を止めることができるようにしたものである。
【００３０】
この手段により、荷電部に粉塵が蓄積したときに、荷電部にかかる電力を止めることができる電気集塵機能搭載の空気調和機が得られる。
【００３１】
また、他の手段は、荷電部にかかる電圧値から荷電部の状態を判断する制御手段を備え、制御手段で判断した荷電部の状態を注意手段でユーザーに注意喚起できるようにしたものである。
【００３２】
この手段により、荷電部にどれだけの粉塵が蓄積されている状態で使用しているか、ユーザーに注意喚起できる電気集塵機能搭載の空気調和機が得られる。
【００３３】
また、他の手段は、荷電部にかかる電圧値、または荷電部に流れる電流値の変動が起こると、電流値の変動の有無を注意手段で示すことできるようにしたものである。
【００３４】
この手段により、常時、粉塵を集塵しているときに注意手段に示すことができる電気集塵機能搭載の空気調和機が得られる。
【００３５】
また、他の手段は、電流検知手段によって、上限値よりも充分大きな電流を検出したときに、過電流検知を行うことができるようにしたものである。
【００３６】
この手段により、荷電部に火花放電が発生した時に、過電流保護機能もしくは注意手段による注意喚起が働く電気集塵機能搭載の空気調和機が得られる。
【００３７】
また、他の手段は、電流検知手段によって、上限値よりも充分大きな電流を複数回検出したときに、過電流検知を行うことができるようにしたものである。
【００３８】
この手段により、単発的な火花放電が発生した時は、荷電部の放電箇所の発熱に至らないため過電流検知とみなさないとすることができる電気集塵機能搭載の空気調和機が得られる。
【００３９】
また、他の手段は、電圧検知手段によって、荷電部にかかる電圧値の大きな変動を検出したときに、過電流検知を行うことができるようにしたものである。
【００４０】
この手段により、荷電部に火花放電が発生した時に、過電流保護機能もしくは注意手段による注意喚起が働く電気集塵機能搭載の空気調和機が得られる。
【００４１】
また、他の手段は、電圧検知手段によって、荷電部にかかる電圧値の大きな変動を複数回検出したときに、過電流検知を行うことができるようにしたものである。
【００４２】
この手段により、単発的な火花放電が発生した時は、荷電部の放電箇所の発熱に至らないため過電流検知とみなさないとすることができる電気集塵機能搭載の空気調和機が得られる。
【００４３】
また、他の手段は、電圧検知手段で検知した荷電部にかかる電圧値を記憶する記憶手段を備え、出荷時に電圧値を記憶手段で記憶し、電圧値から特定以上の差が検知されたときに、注意手段でユーザーに伝達できるようにしたものである。
【００４４】
この手段により、荷電部の形状などの初期条件のばらつきによって、出荷時の荷電部にかかる電圧値が高い場合においても、粉塵の蓄積した量に依存して注意手段でユーザーに注意喚起できる電気集塵機能搭載の空気調和機が得られる。
【発明の効果】
【００４５】
本発明によれば、集塵効率を安定させる電気集塵機能搭載の空気調和機を提供することができる。
【００４６】
また、送風手段の風量によらず集塵効率が安定する電気集塵機能搭載の空気調和機を提供することができる。
【００４７】
また、湿度によらず集塵効率が安定する電気集塵機能搭載の空気調和機を提供することができる。
【００４８】
また、ユーザーが消費電力や騒音などが気になる場合や、外部の粉塵の量が多い時などに、集塵効率をユーザーの意思で変更できる電気集塵機能搭載の空気調和機を提供することができる。
【００４９】
また、荷電部に粉塵が蓄積して火花放電が発生する前に、荷電部の洗浄時期をユーザーに知らせることができる電気集塵機能搭載の空気調和機を提供することができる。
【００５０】
また、荷電部に粉塵が蓄積したときの火花放電の発生を抑制することができる電気集塵機能搭載の空気調和機を提供することができる。
【００５１】
また、荷電部に粉塵が蓄積して火花放電が発生する前に、電気集塵を止めて火花放電が発生しないようにすることができる電気集塵機能搭載の空気調和機を提供することができる。
【００５２】
また、荷電部に蓄積されている粉塵の量を、ユーザーが常時知ることができる電気集塵機能搭載の空気調和機を提供することができる。
【００５３】
また、集塵が行われていることを、ユーザーに知らせることができる電気集塵機能搭載の空気調和機を提供することができる。
【００５４】
また、火花放電の発生をユーザーに知らせることができる電気集塵機能搭載の空気調和機を提供することができる。
【００５５】
また、過電流検知の多発を避けることができる電気集塵機能搭載の空気調和機を提供することができる。
【００５６】
また、荷電部のばらつきによらず、粉塵が蓄積したところで、ユーザーに荷電部の洗浄時期を知らせることができる電気集塵機能搭載の空気調和機を提供することができる。
【発明を実施するための最良の形態】
【００５７】
本発明の請求項１記載の発明は、機器内に、粉塵に帯電させる荷電部と、帯電した粉塵を集塵する集塵部と、粉塵を荷電部から集塵部へ送る送風手段と、荷電部に流れる電流を検知する電流検知手段を備え、電流検知手段で検知した電流値に上限値と下限値を設け、上限値および下限値から逸脱しないように、荷電部にかかる電圧を調節するようにしたものであり、電流値と電圧値の変動を極力少なくして、集塵効率を安定させるという作用を有する。
【００５８】
また、請求項２記載の発明は、送風手段の風量によって、荷電部に流れる電流値を変動させるようにしたものであり、荷電部を流れる空気の風量が多くなると、荷電部に流す電流値を上げ、荷電部を流れる空気の風量が少なくなると、荷電部に流す電流値を下げることができ、送風手段の風量によらず集塵効率が安定するという作用を有する。
【００５９】
また、請求項３記載の発明は、機器内に湿度を検知する湿度検知手段を備え、荷電部周辺の湿度によって荷電部に流れる電流値を変動させるようにしたものであり、荷電部周辺の湿度が高くなると、荷電部に流す電流値を上げ、荷電部周辺の湿度が低くなると、荷電部に流す電流値を下げることができ、湿度によらず集塵効率が安定するという作用を有する。
【００６０】
また、請求項４記載の発明は、電流検知手段で検知した電流値に設けた上限値と下限値を、ユーザーが自由に設定できるようにしたものであり、ユーザーの意思で集塵効率を自由に変更でき、ユーザーが消費電力や騒音などが気になる場合や、外部の粉塵の量が多い時などに、集塵効率をユーザーの意思で変更できるという作用を有する。
【００６１】
また、請求項５記載の発明は、荷電部にかかる電圧値を検知する電圧検知手段と、ユーザーに注意喚起を行う注意手段を備え、荷電部にかかる電圧値が基準値以下となると、注意手段でユーザーに注意喚起をするようにしたものであり、荷電部に粉塵が蓄積したときに、ユーザーに注意喚起を行うことができ、荷電部に粉塵が蓄積して火花放電が発生する前に、荷電部の洗浄時期をユーザーに知らせることができるという作用を有する。
【００６２】
また、請求項６記載の発明は、荷電部にかかる電圧値が基準値以下となると、荷電部に流れる電流値を下げることができるようにしたものであり、荷電部に粉塵が蓄積したときに、荷電部にかかる電力を抑えることができ、荷電部に粉塵が蓄積したときの火花放電の発生を抑制することができるという作用を有する。
【００６３】
また、請求項７記載の発明は、荷電部にかかる電圧値が基準値以下となると、荷電部にかかる電圧を止めることができるようにしたものであり、荷電部に粉塵が蓄積したときに、荷電部にかかる電力を止めることができ、荷電部に粉塵が蓄積して火花放電が発生する前に、電気集塵を止めて火花放電が発生しないようにすることができるという作用を有する。
【００６４】
また、請求項８記載の発明は、荷電部にかかる電圧値から荷電部の状態を判断する制御手段を備え、制御手段で判断した荷電部の状態を注意手段でユーザーに注意喚起できるようにしたものであり、荷電部にどれだけの粉塵が蓄積されている状態で使用しているか、ユーザーに注意喚起でき、荷電部に蓄積されている粉塵の量を、ユーザーが常時知ることができるという作用を有する。
【００６５】
また、請求項９記載の発明は、荷電部にかかる電圧値、または荷電部に流れる電流値の変動が起こると、電流値の変動の有無を注意手段で示すことできるようにしたものであり、常時、粉塵を集塵しているときに注意手段に示すことができ、集塵が行われていることを、ユーザーに知らせることができるという作用を有する。
【００６６】
また、請求項１０記載の発明は、電流検知手段によって、上限値よりも充分大きな電流を検出したときに、過電流検知を行うことができるようにしたものであり、荷電部に火花放電が発生した時に、過電流保護機能もしくは注意手段による注意喚起が働き、火花放電の発生をユーザーに知らせることができるという作用を有する。
【００６７】
また、請求項１１記載の発明は、電流検知手段によって、上限値よりも充分大きな電流を複数回検出したときに、過電流検知を行うことができるようにしたものであり、単発的な火花放電が発生した時は、荷電部の放電箇所の発熱に至らないため過電流検知とみなさないとすることができ、過電流検知の多発を避けるという作用を有する。
【００６８】
また、請求項１２記載の発明は、電圧検知手段によって、荷電部にかかる電圧値の大きな変動を検出したときに、過電流検知を行うことができるようにしたものであり、荷電部に火花放電が発生した時に、過電流保護機能もしくは注意手段による注意喚起が働き、火花放電の発生をユーザーに知らせることができるという作用を有する。
【００６９】
また、請求項１３記載の発明は、電圧検知手段によって、荷電部にかかる電圧値の大きな変動を複数回検出したときに、過電流検知を行うことができるようにしたものであり、単発的な火花放電が発生した時は、荷電部の放電箇所の発熱に至らないため過電流検知とみなさないとすることができ、過電流検知の多発を避けるという作用を有する。
【００７０】
また、請求項１４記載の発明は、電圧検知手段で検知した荷電部にかかる電圧値を記憶する記憶手段を備え、出荷時に電圧値を記憶手段で記憶し、電圧値から特定以上の差が検知されたときに、注意手段でユーザーに伝達できるようにしたものであり、荷電部の形状などの初期条件のばらつきによって、出荷時の荷電部にかかる電圧値が高い場合においても、粉塵の蓄積した量に依存して注意手段でユーザーに注意喚起でき、荷電部のばらつきによらず、粉塵が蓄積したところで、ユーザーに荷電部の洗浄時期を知らせることができるという作用を有する。
【００７１】
以下、本発明の実施の形態について図面を参照しながら説明する。
【００７２】
（実施の形態１）
図１に示すように、機器内に、粉塵に帯電させる荷電部１と、帯電した粉塵を集塵する集塵部２と、荷電部１に電圧を供給する電源装置３と、粉塵を荷電部１から集塵部２へ送る送風手段としてのファンモーター４と、荷電部１に流れる電流値を検知する電流検知手段５と、電流検知手段５からの信号を受けて電源装置３の電圧を調整する電圧調整手段としてのマイコン６を備え、電流検知手段５で検知した電流値に上限値と下限値を設け、上限値および下限値から逸脱しないように、荷電部１にかかる電圧をマイコン６によって調節する構成とした電気集塵機能搭載の空気調和機７を構成する。電流検知手段５としては、電流値が検知、計測できれば良く、例えば、電流計などがある。
【００７３】
上記構成にて、電源装置３によって荷電部１の電極間に電圧が印加されることで電極間に電界が生じ、その荷電部１の電極間に向かってファンモーター４により粉塵を含んだ空気を送り込んで、荷電部１によって帯電された粉塵を含んだ空気は荷電部１の後にある集塵部２によって集塵される。
【００７４】
荷電部１に流れる電流値は電流検知手段５で検知し、検知した電流値はマイコン６に送信され、送信された電流値をマイコン６で上限値と下限値から逸脱しているかどうかを判断し、上限値と下限値から逸脱した場合は、マイコン６から電源装置３へ電圧値を調節するように信号を送り、図２にしめすように、電流値を上限値と下限値から逸脱しないように制御し、逸脱していない場合は、制御を行わない。
【００７５】
例えば、荷電部１にかかる電圧を６ｋＶ、荷電部１に流れる電流値の上限値を１１０μＡ、下限値を１００μＡとすると、電流検知手段５で検知された荷電部１に流れる電流値が９５μＡであれば、電流検知手段５から検知した電流値をマイコン６へ送信し、下限値である１００μＡになるようにマイコン６より電源装置３へ荷電部１にかかる電圧値を上昇するように信号が行き、電源装置３は６ｋＶの電圧から徐々に上昇するように働き、電流検知手段５で検知された電流が１００μＡを超えたところで電圧値の上昇を止める。
【００７６】
電流検知手段５で検知された荷電部１に流れる電流値が１１５μＡであれば、電流検知手段５から検知した電流値をマイコン６へ送信し、上限値である１１０μＡになるようにマイコン６より電源装置３へ荷電部１にかかる電圧値を下降するように信号が行き、電源装置３は６ｋＶの電圧から徐々に下降するように働き、電流検知手段５で検知された電流が１１０μＡを下回るところで電圧値の下降を止める。
【００７７】
電流値が１００〜１１０μＡ以内であれば、マイコン６は電源装置３に対して制御は行わない。
【００７８】
荷電部１に流れる電流の上限値と下限値は、必要とする集塵効率によって決まる値であり、上限値と下限値の幅を大きくすると集塵効率にも幅が生じてしまい、一定ではなくなってしまうが、逆に狭くしてしまっても、上限値と下限値を逸脱しないように制御する事が困難となり、電流値がハンチングしてしまい、集塵効率が安定しない結果となる。
【００７９】
また、上記構成において、マイコン６がファンモーター４の風量を制御するか、もしくはファンモーター４からマイコン６に風量のデータを送信し、ファンモーター４の風量が大きいと、荷電部１にかかる電圧値をマイコン６によって上昇するように電源装置３を調整し、逆にファンモーター４の風量が小さいと荷電部１にかかる電圧値をマイコン６によって下降するように電源装置３を調節する。
【００８０】
例えば、ファンモーター４がＡＣモーターであるとき、ファンモーター４のファンノッチをマイコン６からファンモーター４に送り、マイコンの指示のファンノッチでモーターを動作させる。
【００８１】
マイコン６の指示で、ファンモーター４を弱ノッチから強ノッチに変更したとき、マイコン６から電源装置３へ電圧を上昇するように信号を出し、電流検知手段５で検出される電流値をファンモーター４が弱ノッチのときと比較して高くなるように調節する。
【００８２】
逆に、マイコン６の指示で、ファンモーター４を弱ノッチから微ノッチに変更したとき、マイコン６から電源装置３へ電圧を下降するように信号を出し、電流検知手段５で検出される電流値をファンモーター４が弱ノッチのときと比較して低くなるように調節する。
【００８３】
なお、荷電部１に流れる電流値の上限値と下限値をそれぞれ１００μＡ〜１１０μＡとしたが、荷電部１の形状や目標とする集塵効率など様々な条件で変わるものであるため、これに限るものではない。
【００８４】
なお、送風手段としてファンモーター４、電圧調整手段としてマイコン６を用いたが、同様の作用効果をもたらすものであればこれに限るものではない。
【００８５】
（実施の形態２）
次に、本発明の実施の形態２について図面を参照しながら説明する。なお、実施の形態１と同一のものは同一番号を付し、その詳細な説明を省略する。
【００８６】
図３に示すように、機器内に湿度を検知する湿度検知手段としての湿度センサー８を備え、荷電部１周辺の湿度を湿度センサー８で検知して、検知した値をマイコン６へ送信できるようにした電気集塵機能搭載の空気調和機７ａを構成する。
【００８７】
荷電部１周辺の湿度が上昇すると、湿度センサー８が検知しマイコン６へ送信し、マイコン６から電源装置３へ電圧を上昇するように信号を出し、電流検知手段５で検出される電流値を高くなるように調節し、逆に、荷電部１周辺の湿度が下降すると、マイコン６から電源装置３へ電圧を下降するように信号を出し、電流検知手段５で検出される電流値を低くなるように調節する。
【００８８】
例えば、湿度センサー８で検出された湿度が６０％時に電流検出手段５で検知する電流値が１００μＡであるとすると、湿度センサー８で検出された湿度が３０％まで落ちると湿度センサー８からマイコン６へ信号を出し、マイコン６から電源装置３へ電圧を下降するように信号を出し、電流検知手段５で検出される電流値を９０μＡまで下降する。
【００８９】
なお、荷電部に流れる電流値をそれぞれ９０μＡと１００μＡとしたが、荷電部の形状や目標とする集塵効率など様々な条件で変わるものであるため、これに限るものではない。
【００９０】
なお、湿度検知手段としての湿度センサー８を用いたが、同様の作用効果をもたらすものであればこれに限るものではない。
【００９１】
（実施の形態３）
次に、本発明の実施の形態３について図面を参照しながら説明する。なお、実施の形態１または２と同一のものは同一番号を付し、その詳細な説明を省略する。
【００９２】
図４に示すように、ユーザーが集塵効率を自由に設定できる操作手段としてのスライドスイッチ９を備え、スライドスイッチ９で入力された集塵効率の設定をマイコン６に送信できるようにした電気集塵機能搭載の空気調和機７ｂを構成する。
【００９３】
ユーザーによってスライドスイッチ９で集塵効率の設定を変更すると、変更データーはマイコン６へ送信され、スライドスイッチ９で設定された集塵効率に相当する電流値が電流検出手段５が検出できるように、マイコン６は電源装置３へ信号を出し、荷電部１へかかる電圧値を調節する。
【００９４】
例えば、スライドスイッチ９で検出された集塵効率が６０％時に電流検出手段５で検知する電流値が１００μＡであるとすると、スライドスイッチ９で検出された集塵効率を７０％まで上げたとき、スライドスイッチ９からマイコン６へ信号を出し、マイコン６から電源装置３へ電圧を上昇するように信号が出され、電流検知手段５で検出される電流値を１１０μＡまで上昇する。
【００９５】
なお、荷電部に流れる電流値をそれぞれ１００μＡ、１１０μＡとしたが、荷電部の形状や目標とする集塵効率など様々な条件で変わるものであるため、これに限るものではない。
【００９６】
なお、操作手段としてのスライドスイッチ９を用いたが、同様の作用効果をもたらすものであればこれに限るものではない。
【００９７】
（実施の形態４）
次に、本発明の実施の形態４について図面を参照しながら説明する。なお、実施の形態１乃至３のいずれかと同一のものは同一番号を付し、その詳細な説明を省略する。
【００９８】
図５に示すように、荷電部１にかかる電圧値を検知する電圧検知手段１０と、ユーザーに注意喚起を行う注意手段としてのＬＥＤ１１を備えた電気集塵機能搭載の空気調和機７ｃを構成する。電圧検知手段１０としては、電圧が検知、計測できれば良く、例えば、電圧計などがある。
【００９９】
電圧検知手段１０で検知される電圧値が基準値以下となると、電圧検知手段１０からマイコン６へ信号を出し、マイコン６からＬＥＤ１１へ信号を送信する。
【０１００】
図６に示すように、電流値、空気条件（ガス圧）を一定とした場合、荷電部１へ印加される電圧値は荷電部１の電極間の距離に比例することが既に判っているが、荷電部１に粉塵などの異物が蓄積されていくことによって、初期状態と比較し、粉塵などの異物が蓄積された量だけ電極間距離が短くなることになる。
【０１０１】
つまり、粉塵などの異物が蓄積されていくことによって、電圧検知手段１０で検知する電圧値は徐々に低くなっていき、火花放電の発生する距離での電圧を基準値としたときに、電圧検知手段１０が基準値以下の電圧を検知した時点で、マイコン６へ信号を出し、マイコン６によってＬＥＤ１１が赤色に点灯する。
【０１０２】
例えば、初期状態での荷電部１にかかる電圧を６ｋＶとして、火花放電が発生する基準電圧を４ｋＶとしたときに、電圧検知手段１０で検知された電圧が４ｋＶより大きいときは通常通り運転を行うが、電圧検知手段１０で検知された電圧が４ｋＶ以下となった時点で、マイコン６へ信号を出し、マイコン６によってＬＥＤ１１が赤色に点灯する。
【０１０３】
なお、荷電部にかかる電圧を６ｋＶ、基準値を４ｋＶとしたが、荷電部の形状や電流値など様々な条件で変わるものであるため、これに限るものではない。
【０１０４】
また、上記構成において、電圧検知手段１０で検知される電圧値が基準値以下となると、電圧検知手段１０からマイコン６へ信号を出し、電流検出手段５で検出される電流値を減少するようにマイコン６から電源装置３へ信号を出し、荷電部１へかかる電圧値を調節する。
【０１０５】
粉塵などの異物が蓄積されることによって、荷電部１の電極間の距離が短くなるが、図６に示すように、荷電部１に印加される電圧値を下げることによって火花放電の発生を避けることができるため、マイコン６で設定されている電流値の下限値を下げることで荷電部１に印加される電圧値が下がり、電流検出手段５で検出される電流値を減少するようにマイコン６から電源装置３へ信号を出し、荷電部１へかかる電圧値を調節できる。
【０１０６】
また、上記構成において、電圧検知手段１０で検知される電圧値が基準値以下となると、電圧検知手段１０からマイコン６へ信号を出し、マイコン６から電源装置３へ信号を出し、荷電部１へかかる電圧を止めて、火花放電の発生を避けることができる。
【０１０７】
また、上記構成において、電圧検知手段１０で検知される電圧値をマイコン６に送信し、マイコン６によって、ＬＥＤ１１を電圧値に相当する表示方法で表示を行う。
【０１０８】
粉塵などの異物が蓄積されることによって、荷電部１の電極間の距離が短くなるが、図６に示すように、粉塵の蓄積量が多くなるにつれて電圧値が下がる傾向にあるため、電圧検知手段１０で検知される電圧値によって、荷電部に蓄積された粉塵の量の推測ができる。
【０１０９】
例えば、初期状態での荷電部１にかかる電圧を６ｋＶとして、電圧検知手段１０によって検知される電圧が６ｋＶで出力している間は、マイコン６からのＬＥＤ１１への点灯は行わない。
【０１１０】
しばらく使い続けた結果、電圧検知手段１０で検知された電圧が５．５ｋＶとなったとき、荷電部１に粉塵が徐々に蓄積されてきたと判断し、ＬＥＤ１１を１個点灯し、電圧検知手段１０で検知された電圧が５．０ｋＶとなったとき、ＬＥＤ１１を２個点灯して、ユーザーに対して、荷電部１にどれだけの粉塵が蓄積されているかを知らせることができる。
【０１１１】
なお、荷電部１にかかる電圧を６ｋＶとし、ＬＥＤ１１を点灯させる電圧値を５．５ｋＶ、５．０ｋＶとしたが、荷電部１の形状や電流値など様々な条件で変わるものであるため、これに限るものではない。
【０１１２】
また、上記構成において、電圧検知手段１０によって検知された電圧値、または電流検知手段５で検知された電流値に変動がみられた場合、電圧検知手段１０もしくは、電流検知手段５からマイコン６へ信号が送信され、変動が見られた期間のみＬＥＤ１１を点灯する。
【０１１３】
粉塵などの異物が電極間を通過するとき粉塵と荷電部の距離が短くなることから、図６に示すように距離が短くなることで、電圧値が一時的に減少する時期があり、電圧検知手段１０で検知される電圧の変動、もしくは電流検知手段５で検知される電圧の変動が原因の電流値の変動から、粉塵の集塵を行われていることを推測できる。
【０１１４】
また、上記構成において、電流検知手段５によって、上限値より充分大きな電流値を検出したとき、マイコン６へ信号を出し、過電流検知保護を行う。
【０１１５】
例えば、定常時に１００μＡ程度の電流値が流れているとすると、荷電部１に火花放電が発生すると、一時的に定常時の数十倍の電流が流れるため、電流検出手段５で定常時の１０倍の１０００μＡ以上の電流値が流れると、マイコン６で過電流検知保護をするようにすれば、火花放電が発生したときに過電流保護機能が働き、マイコン６からＬＥＤ１１で異常表示を表示し、電源装置３へ信号を送信し、荷電部１への電圧印加を停止する。
【０１１６】
また、火花放電が発生して数十倍の電流値が荷電部１に流れると、電源装置３の電力値を上回りることで、荷電部１にかかる電圧値は一時的に大きく降下するため、電圧検知手段１０で一時的な大きい電圧変動を検知したときに、マイコン６へ信号を出し、過電流検知保護を行う。
【０１１７】
例えば、６Ｗの電源装置３で荷電部１への印加電圧６ｋＶ、電流値１００μＡとすると、定常時では０．６Ｗ程度で充分に電源装置３の電力以下で使用しているが、火花放電が発生して、電流値が１０００μＡ以上流れると、電源装置３の電力値６Ｗを上回り、電圧値は定常状態と比較して大きく下降するため、一時的に１ｋＶの電圧値の降下が検知されたときにマイコン６で過電流検知保護をするようにすれば、火花放電が発生して１２００μＡ以上の電流値が流れたときに過電流保護機能が働き、マイコン６からＬＥＤ１１で異常表示を表示し、電源装置３へ信号を送信し、荷電部１への電圧印加を停止する。
【０１１８】
また、火花放電が発生して数十倍の電流値が荷電部１に流れると、電源装置３の電力値を上回りることで、荷電部１にかかる電圧値は一時的に大きく降下するため、単発の火花放電では荷電部の発熱に至らず、かつ、単発の火花放電は頻繁に起きる可能性があるため、電流検知手段５で検知された過多な電流値、または電圧検知手段１０で検知された大きな電圧変動をマイコン６へ信号を送信し、単発の火花放電であれば過電流検知保護は働かず、複数回の火花放電をマイコン６が検知すれば過電流検知保護が働き、マイコン６からＬＥＤ１１で異常表示を表示し、電源装置３へ信号を送信し、荷電部１への電圧印加を停止する。
【０１１９】
なお、電源装置３として６Ｗの電源装置を用いたが、同様の作用をもたらすものであればこれに限るものではない。
【０１２０】
なお、注意手段としてのＬＥＤ１１を用いたが、同様の作用効果をもたらすものであればこれに限るものではない。
【０１２１】
（実施の形態５）
次に、本発明の実施の形態５について図面を参照しながら説明する。なお、実施の形態１乃至４のいずれかと同一のものは同一番号を付し、その詳細な説明を省略する。
【０１２２】
図７に示すように、電圧検知手段で検知した荷電部にかかる電圧値を記憶する記憶手段としてのＥＥＰＲＯＭ１２を備えた電気集塵機能搭載の空気調和機７ｄを構成する。
【０１２３】
出荷時に荷電部１にかかる電圧値を電源検知手段１０で検知し、マイコン６へ送信し、マイコン６によってＥＥＰＲＯＭ１２で記憶する。
【０１２４】
使い続けていく中で、電圧値から特定以上の差が検知されたときに、図５に示すように、電流値、空気条件（ガス圧）を一定とした場合、荷電部１へ印加される電圧値は荷電部１の電極間の距離に比例することが既に判っているが、荷電部１に粉塵などの異物が蓄積されていくことによって、出荷時の初期状態と比較し、粉塵などの異物が蓄積された量だけ電極間距離が短くなることになり、特定以上の電圧差が検知されるときは、特定の粉塵の蓄積量になった場合と推測され、ユーザーに荷電部１の洗浄時期を知らせる。
【０１２５】
例えば、荷電部１にかかる電圧値の電圧降下が出荷時から２ｋＶ検知されたときに、ＬＥＤ１１を点滅してユーザーに洗浄時期をお知らせするように設定されていたとき、出荷時の電圧検知手段で検知された電圧値が定常時７ｋＶで、５ｋＶまで下がった時点での粉塵の蓄積量と、定常時６ｋＶで４ｋＶまで下がった時点での粉塵の蓄積量は大きく違わないと推測でき、荷電部のばらつきによらず、粉塵が蓄積したところで、マイコン６からＬＥＤ１１を点滅し、ユーザーに洗浄時期を知らせることができる。
【０１２６】
なお、荷電部にかかる電圧を６ｋＶおよび７ｋＶ、出荷時からの特定の電圧差を２ｋＶとしたが、荷電部の形状や電流値など様々な条件で変わるものであるため、これに限るものではない。
【０１２７】
なお、記憶手段としてのＥＥＰＲＯＭ１２を用いたが、同様の作用効果をもたらすものであればこれに限るものではない。
【産業上の利用可能性】
【０１２８】
高圧電圧を用いて電気集塵を行う機器に適用することができる。
【図面の簡単な説明】
【０１２９】
【図１】本発明の実施の形態１の空気調和機の構成を示す概略図
【図２】同実施の形態１の荷電部にかかる電圧の電流特性を示す図
【図３】同実施の形態２の空気調和機の構成を示す概略図
【図４】同実施の形態３の空気調和機の構成を示す概略図
【図５】同実施の形態４の空気調和機の構成を示す概略図
【図６】同実施の形態４の荷電部にかかる電圧の電極間距離特性を示す図
【図７】同実施の形態５の空気調和機の構成を示す概略図
【図８】従来の空気調和機の構成を示す概略図
【符号の説明】
【０１３０】
１      荷電部
２      集塵部
３      電源装置
４      ファンモーター
５      電流検知手段
６      マイコン
７      空気調和機
８      湿度センサー
９      スライドスイッチ
１０    電圧検知手段
１１    ＬＥＤ
１２    ＥＥＰＲＯＭ
【図１】
2007225246.tif 000003
【図２】
2007225246.tif 000004
【図３】
2007225246.tif 000005
【図４】
2007225246.tif 000006
【図５】
2007225246.tif 000007
【図６】
2007225246.tif 000008
【図７】
2007225246.tif 000009
【図８】
2007225246.tif 000010